(57)【特許請求の範囲】
【請求項１】
建屋のエレベータホールと昇降路との間の乗降部に設けられた三方枠と、前記三方枠に対向して左右方向に移動可能に配置され、その移動で前記乗降部を開閉するドアパネルと、前記三方枠とドアパネルの少なくとも一方に取り付けられ、前記ドアパネルあるいは前記三方枠に接触することにより前記三方枠と前記ドアパネルとの間の隙間を密閉する弾性体からなる気密材と、前記気密材を前記三方枠と前記ドアパネルの少なくとも一方に取り付けるための弾性部材を具備し、前記弾性部材は、弾性的に拡開可能な挟み部を有し、前記三方枠と前記ドアパネルの少なくとも一方に固定され、前記挟み部で、前記気密材が取り付けられた気密材取付用保持材の基部を弾性的に挟み込んで、前記気密材を前記三方枠と前記ドアパネルの少なくとも一方に脱着可能に取り付けてなることを特徴とするエレベータドアの遮煙装置。
【請求項２】
建屋のエレベータホールと昇降路との間の乗降部に設けられた三方枠と、前記三方枠に対向して左右方向に移動可能に配置され、その移動で前記乗降部を開閉するドアパネルと、前記三方枠と前記ドアパネルの少なくとも一方に取り付けられ、前記ドアパネルあるいは前記三方枠に接触することにより前記三方枠と前記ドアパネルとの間の隙間を密閉する弾性体からなる気密材と、前記気密材を前記三方枠と前記ドアパネルの少なくとも一方に取り付けるための弾性部材を具備し、前記弾性部材は前記三方枠と前記ドアパネルの少なくとも一方に固定され、前記弾性部材は該弾性部材が取り付けられた前記三方枠あるいは前記ドアパネルとの間に隙間を形成し、前記隙間に前記気密材が取り付けられた気密材取付用保持材の基部を差し込み、前記弾性部材を前記気密材取付用保持材の基部に押し付けて弾性的に挟み込んで保持可能なつまみを有し、前記気密材を前記三方枠と前記ドアパネルの少なくとも一方に脱着可能に取り付けたことを特徴とするエレベータドアの遮煙装置。
【請求項３】
前記弾性部材は板ばねであることを特徴とする請求項１又は請求項２に記載のエレベータドアの遮煙装置。
【請求項４】
前記つまみに、前記弾性部材を、前記気密材の基部あるいは前記気密材取付用保持材の基部に押し付ける方向に、弾性材を用いて、付勢したことを特徴とする請求項２に記載のエレベータドアの遮煙装置。
【請求項５】
前記弾性材がばねであることを特徴とする請求項４に記載のエレベータドアの遮煙装置。
【請求項６】
前記気密材取付用保持材が押し出し材であることを特徴とする請求項１乃至請求項５の何れかに記載のエレベータドアの遮煙装置。
【請求項７】
前記三方枠と前記ドアパネルとの間の隙間が側枠と前記ドアパネルとの間の隙間であることを特徴とする請求項１乃至請求項６の何れかに記載のエレベータドアの遮煙装置。
【請求項８】
前記三方枠と前記ドアパネルとの間の隙間が上枠と前記ドアパネルとの間の隙間であることを特徴とする請求項１乃至請求項６の何れかに記載のエレベータドアの遮煙装置
【請求項９】
前記弾性部材の一部が前記気密材取付用保持材の一部に嵌合することを特徴とする請求項１乃至請求項８の何れかに記載のエレベータドアの遮煙装置。
【請求項１０】
前記弾性部材の一部は弾性体の先端であり、前記気密材取付用保持材の一部は前記気密材取付用保持材の基部に形成した溝であることを特徴とする請求項９に記載のエレベータドアの遮煙装置。
【請求項１１】
前記弾性部材の一部は弾性体が屈曲したくの字部であり、前記気密材取付用保持材の一部は前記気密材取付用保持材の基部に形成した溝であることを特徴とする請求項９に記載のエレベータドアの遮煙装置。
【請求項１２】
前記弾性部材の一部は弾性体のエンボス加工による凸部であり、前記気密材取付用保持材の一部は前記気密材取付用保持材の基部に具備した穴または窪みであることを特徴とする請求項９に記載のエレベータドアの遮煙装置。
【請求項１３】
前記弾性部材による固定と共に、前記気密材取付用保持材の少なくとも１ヶ所を、ねじによって固定したことを特徴とする請求項１乃至請求項１２の何れかに記載のエレベータドアの遮煙装置。
【発明の詳細な説明】
【技術分野】
【０００１】
この発明は、エレベータの昇降路とエレベータホールとの間のドア機構の気密性を高めて、火災発生時の煙の流通を遮断するエレベータドアの遮煙装置に関する。
【背景技術】
【０００２】
建屋のエレベータホールと昇降路との間には、エレベータに対する乗降部としての出入口が設けられ、この出入口に三方枠が据え付けられ、この三方枠の背面側に前記出入口を開閉する引き戸式のドアパネルが設けられている。
【０００３】
前記出入口は通常時には前記ドアパネルにより閉鎖され、昇降路内を昇降するかごがその階のエレベータホールに着床した際に開放動作し、そのかごがエレベータホールから離れる際に閉合動作して前記出入口が閉鎖される。
【０００４】
ところで、通常時に出入口はドアパネルで閉鎖されているとはいえ、そのドアパネルと三方枠との間には僅かな隙間があり、このためエレベータホールで火災が発生した際に、その煙が前記隙間を通して昇降路内に流入し、昇降路が煙を上昇させる煙突として働いて火勢が強まると共に、煙が他の階床にまで拡散し、入居者の避難を困難にしてしまう恐れがある。
【０００５】
そこで、近年では、ドア機構の密閉性を高めることが重要な課題となっており、その一環として三方枠とドアパネルとの間の隙間をゴム等の弾性体からなる気密材で密閉して遮煙することが行われるようになってきている。
【０００６】
すなわち、三方枠あるいはドアパネルに所定のピッチで複数のねじ穴を形成し、その各ねじ穴にねじを螺挿し、その複数のねじでゴム等の弾性体からなる気密材を固定するための保持材を三方枠あるいはドアパネルに取り付け、この気密材をドアパネル閉鎖時にそのドアパネルあるいは三方枠の表面に弾性的に接触させ、この気密材で三方枠とドアパネルとの間の隙間を密閉して煙の流通を遮断し、ドア機構の気密性を高めるようにしている。
【０００７】
気密材の取り付けは、建屋に三方枠を据え付けた後において、その三方枠あるいはドアパネルに複数のねじで取り付ける現場作業により行われている。
【０００８】
以下、気密材が保持材を介して、ドアパネルの戸袋側端部に複数のねじによって固定された例を図１２および図１３によって説明する。尚、図１２はドアパネル裏面図であり、向かって右側が戸袋側である。図１３は図１２のＡ―Ａ線に沿う部分の断面図で、ドアパネルの戸袋方向端部水平方向断面図であり、戸当たり側は省略してある。１７は気密材、７は取付ねじ、８はドアパネル、６は保持材、である。
【０００９】
気密材１７は保持材６に嵌入されており、ドアパネル８の戸袋方向端部に高さ方向に複数の取付ねじ７によって所定のピッチで、保持材６を介して固定されており、戸全閉時に当該気密材１７が三方枠の側枠と当接して、気密性能を得る。
【先行技術文献】
【特許文献】
【００１０】
【特許文献１】特開２００５−３０６５７８号公報
【発明の概要】
【発明が解決しようとする課題】
【００１１】
しかしながら、上述のような従来の構造では、気密材を複数のねじでドアパネルに取り付けて固定しなければならない。気密材の取り付けは、ドアパネルを建屋に据え付けた後の現場作業により行われるから、限られた狭いスペースでの作業となり、工具を用い、ねじで気密材を固定する細かな作業には多大の労力と時間がかかり効率が悪く、作業性が低下する。
【００１２】
特に、高層階の建屋のように、多数階の各エレベータホールにおける出入口のドアパネルにいちいち複数のねじで遮煙用の気密材を取り付けるとなると、相当効率が悪くなり、より一層作業性が低下する。
【００１３】
また、気密材は除々に劣化するから、定期的にあるいは必要に応じてその交換のためのメンテナンスを実施する必要があるが、その際も気密材をねじの取り外し、取り付けにより交換しなければならず、効率が悪く、メンテナンス性が低下する。
【００１４】
このような、気密材の取り付けに対する効率性の悪化に対して、三方枠の上枠に気密材を取り付ける効率的な方法として、気密材を締着具で固定する方法が提案されている。（特開２００５−３０６５７８号公報）
【００１５】
先行技術を図１４により説明する。３は三方枠、４は側枠、５は上枠、８はドアパネル、１２ｂは折返し板、１７は気密材、１８は締着具、２２は気密材の基部、２３は気密材の密閉部、２５は締着具の挟み部、２６は締着具の押さえ部、Ｇはドアパネルと三方枠の隙間である。
【００１６】
建屋のエレベータホールと昇降路との間の乗降部に設けられた三方枠３と、三方枠３に対向して左右方向に移動可能に配置され、その移動で前記乗降部を開閉するドアパネル８と、三方枠３の上部の上枠５に形成された折返し板１２ｂに取り付けられ、ドアパネル８に接触することにより三方枠３の上枠５とドアパネル８との間の隙間Ｇを密閉する弾性体からなる気密材１７と、この気密材１７を折返し板１２ｂに取り付けるための締着具１８とを具備し、締着具１８は弾性的に拡開可能な挟み部２５を有し、この挟み部２５で気密材１７の基部２２を折返し板１２ｂの縁部に弾性的に挟み込んでその気密材１７を折返し板１２ｂに脱着可能に取り付ける。
【００１７】
しかしながら、先行技術は三方枠の上枠に特化した技術であり、また、締着具の分だけ部品点数が増え、さらに、弾性体を締着具で挟み込んでいるため、作業効率を悪くする原因となっていた。
【課題を解決するための手段】
【００１８】
本発明に係るエレベータドアの遮煙装置は、建屋のエレベータホールと昇降路との間の乗降部に設けられた三方枠と、前記三方枠に対向して左右方向に移動可能に配置され、その移動で前記乗降部を開閉するドアパネルと、前記三方枠とドアパネルの少なくとも一方に取り付けられ、前記ドアパネルあるいは前記三方枠に接触することにより前記三方枠と前記ドアパネルとの間の隙間を密閉する弾性体からなる気密材と、前記気密材を前記三方枠と前記ドアパネルの少なくとも一方に取り付けるための弾性部材を具備し、前記弾性部材は、弾性的に拡開可能な挟み部を有し、前記三方枠と前記ドアパネルの少なくとも一方に固定され、前記挟み部で、前記気密材が取り付けられた気密材取付用保持材の基部を弾性的に挟み込んで、前記気密材を前記三方枠と前記ドアパネルの少なくとも一方に脱着可能に取り付けてなることを特徴とする。
【００１９】
また、本発明に係るエレベータドアの遮煙装置は、建屋のエレベータホールと昇降路との間の乗降部に設けられた三方枠と、前記三方枠に対向して左右方向に移動可能に配置され、その移動で前記乗降部を開閉するドアパネルと、前記三方枠と前記ドアパネルの少なくとも一方に取り付けられ、前記ドアパネルあるいは前記三方枠に接触することにより前記三方枠と前記ドアパネルとの間の隙間を密閉する弾性体からなる気密材と、前記気密材を前記三方枠と前記ドアパネルの少なくとも一方に取り付けるための弾性部材を具備し、前記弾性部材は前記三方枠と前記ドアパネルの少なくとも一方に固定され、前記弾性部材は該弾性部材が取り付けられた前記三方枠あるいは前記ドアパネルとの間に隙間を形成し、前記隙間に前記気密材が取り付けられた気密材取付用保持材の基部を差し込み、前記弾性部材を前記気密材取付用保持材の基部に押し付けて弾性的に挟み込んで保持可能なつまみを有し、前記気密材を前記三方枠と前記ドアパネルの少なくとも一方に脱着可能に取り付けたことを特徴とする。
【００２０】
また、前記弾性部材は板ばねであっても良い。また、前記つまみに、前記弾性部材を、前記気密材の基部あるいは前記気密材取付用保持材の基部に押し付ける方向に、弾性材を用いて、付勢しても良い。また、前記弾性材がばねであっても良い。また、前記気密材取付用保持材が押し出し材であっても良い。また、前記三方枠と前記ドアパネルとの間の隙間が側枠と前記ドアパネルとの間の隙間であっても良い。
【００２１】
また、前記弾性部材の一部が前記気密材取付用保持材の一部に嵌合しても良い。また、前記弾性部材の一部は弾性体の先端であり、前記気密材取付用保持材の一部は前記気密材取付用保持材の基部に形成した溝であっても良い。また、前記弾性部材の一部は弾性体が屈曲したくの字部であり、前記気密材取付用保持材の一部は前記気密材取付用保持材の基部に形成した溝でっても良い。また、前記弾性部材の一部は弾性体のエンボス加工による凸部であり、前記気密材取付用保持材の一部は前記気密材取付用保持材の基部に具備した穴または窪みであっても良い。また、前記弾性部材による固定と共に、前記気密材取付用保持材の少なくとも１ヶ所を、ねじによって固定しても良い。
【発明の効果】
【００２２】
この発明によれば、三方枠あるいはドアパネルに遮煙用の気密材を、ねじを用いる面倒な作業を要しないか、あるいは必要最低限のねじ固定のみで、容易に能率よく取り付けてその三方枠とドアパネルとの間の隙間を密閉することができる。
【図面の簡単な説明】
【００２３】
【図１】遮煙装置を備えるエレベータドアを示す斜視図。
【図２】本発明に係るドアパネルで、上方から下方まで弾性部材を具備した場合の裏面図。
【図３】本発明に係るドアパネルで、分割した弾性部材を具備した場合の裏面図。
【図４】実施例１において、保持材を介して気密材を取り付けた場合における、図２または図３のＡ−Ａ線に沿う部分の断面図。
【図５】実施例１において、保持材を介さず気密材を取り付けた場合における、図２または図３のＡ−Ａ線に沿う部分の断面図。
【図６】実施例２において、保持材を介して気密材を取り付けた場合における、図２または図３のＡ−Ａ線に沿う部分の断面図。
【図７】実施例２において、保持材を介さず気密材を取り付けた場合における、図２または図３のＡ−Ａ線に沿う部分の断面図。
【図８】実施例３において、保持材を介して気密材を取り付けた場合における、図２または図３のＡ−Ａ線に沿う部分の断面図。
【図９】実施例３において、保持材を介して気密材を取り付けた場合における、ドアパネル上端の斜視図。
【図１０】実施例３において、保持材を介さず気密材を取り付けた場合における、図２または図３のＡ−Ａ線に沿う部分の断面図。
【図１１】実施例３において、保持材を介さず気密材を取り付けた場合における、ドアパネル上端の斜視図。
【図１２】保持材あるいは気密材をねじのみで固定した場合のドアパネル裏面図。
【図１３】図１２のＡ−Ａ線に沿う部分の断面図。
【図１４】先行技術に係る三方枠の上枠とドアパネルを示す、図１におけるＢ−Ｂ線に沿う部分の断面図。
【図１５】実施例４において、保持材を介して気密材を取り付けた場合における、図２または図３のＡ−Ａ線に沿う部分の断面図。
【図１６】実施例５において、保持材を介して気密材を取り付けた場合における、図２または図３のＡ−Ａ線に沿う部分の断面図。
【発明を実施するための形態】
【００２４】
以下、本発明の実施例について図面を用いて説明する。
【００２５】
図１は本発明および従来技術に係る遮煙装置を備えるエレベータの乗降部をエレベータホール側から見た斜視図で、エレベータホール１の壁面には乗降部として出入口２が形成され、この出入口２の奥方側が乗りかごが昇降する昇降路となっている。尚、エレベータホール側から見た本発明と従来技術による乗降部の外観上の違いはない。
【００２６】
出入口２には三方枠３が据え付けられ、この三方枠３は、左右側に配置された一対の側枠４と、これら側枠４の上部間に架設された上枠５とで門形に構成されている。
【００２７】
そして三方枠３の背面側に、出入口２を開閉する例えば一対の両開き式のドアパネル８が設けられている。ドアパネル８は、図示しないがその上部に複数のドアローラを有し、その各ドアローラが建屋の壁面に水平に据え付けられたドアレールに転動自在に掛け合わされて左右方向に移動自在に懸架され、その左右方向の移動により出入口２が開閉されるようになっている。なお、出入口２の下部奥側部にはエレベータホール１の床面とほぼ面一に敷居９が水平に設けられ、この敷居９に沿ってドアパネル８が左右方向に移動する。
【実施例１】
【００２８】
実施例１を図２、図４および図５を用いて説明する。
【００２９】
図２は、実施例１乃至実施例３に係るエレベータドアの遮煙装置が取り付けられた、図１中のドアパネル８の裏面図である。図面右側が戸袋側を表す。戸袋側とはドアパネルが開く方向である。前記ドアパネル８の戸袋側には、気密材を取り付けるための弾性部材１０がリベット１１などの締結材あるいは接着材等で、ドアパネル上部から下部に渡って取り付けられている。
【００３０】
図４には図２におけるＡ−Ａ線に沿う部分の断面構造を示してあり、出入口２に設けられたドアパネル８はその閉鎖時に三方枠３の背面と対向し、側枠４の後部側の折返し板４ａとドアパネル８の表面との間に隙間Ｇが生じている。
【００３１】
気密材１７は前記弾性部材１０にはさみ込まれて、弾性的に取り付けられている。この気密材１７はドアパネル８の高さとほぼ同じ長さを有し、この気密材１７が側枠４の裏面折返し板４ｂに当接することにより前記隙間Ｇが密閉され、この密閉によりエレベータホール１側とドアパネル８の背面側の昇降路との間の空気流通経路が遮断されている。なお、ドアパネル８と三方枠３の上枠５の隙間およびドアパネル８の戸当たり部分の隙間は、ドアパネル８あるいは上枠５に取り付けられた気密材（図示せず）により密閉されている。
【００３２】
したがって、エレベータホール１側で火災が発生したときの煙が昇降路側へ流入するような不都合が防止され、これにより昇降路による煙突化を防止して火勢の高まりや煙の他の階床への拡散を抑えることができる。
【００３３】
図４に示した気密材１７は保持材６に嵌入され、前記保持材６が前記弾性部材１０に差し込まれて、前記ドアパネル８に固定されている。
【００３４】
尚、前記保持材６はアルミニュウムの押し出し材などからなる。
【００３５】
図５に示した気密材１７は、保持材を介さず、直接、前記弾性部材１０に差し込まれて固定されている。
【００３６】
前記気密材１７の硬度が低く、軟らかい材質の場合は、図４に示したように、前記保持材６を介して前記弾性部材１０に差し込んで、前記ドアパネル８に固定する方が、前記気密材１７の脱着が容易で、作業効率が良い。
【００３７】
一方、前記気密材１７の硬度が高く、硬い材質の場合は、図５に示したように、保持材を介さずに前記弾性部材１０に差し込んで、前記ドアパネル８に固定しても、前記気密材１７の脱着は容易であり、作業効率は悪くなることがなく、保持材を介するとかえって部品点数の増加になり、コストアップとなるため、保持材を介さず、前記弾性部材１０に差し込んで、前記ドアパネル８に固定した方が良い。
【００３８】
従って、前記気密材１７の材質によって、保持材を介すか、介さないかを適宜使い分けるのが良い。
【００３９】
前記ドアパネル８に取り付けられた前記気密材１７は、図４に示すように、前記保持材６を介す場合は、前記三方枠３の側枠４に当接する、例えばノの字状の一端を持ち、他端は前記保持材６に嵌入するための、前記保持材６の嵌入部と同形状の凸形状部分を有している。
【００４０】
また、前記保持材６の一端は前記気密材１７の嵌入部と同形状の凹形状部分を有しており、他端は、前記ドアパネルに固定された前記弾性部材１０に差し込んで固定するための、基部６ａを有している。
【００４１】
前記弾性部材１０は略Ｌ字状の断面を有し、一辺は前記ドアパネル８の裏面、折返し部分に前記リベット１１あるいは接着剤等で固定されており、他辺は前記ドアパネル８の戸袋側端部に押し付けるように弾性力が付加される形状となり、挟み部１０ａを構成している。
【００４２】
保持材６を介して、前記気密材１７を前記ドアパネル８に取り付ける際には、図４に示すように、まず前記気密材１７の凸形状部分を前記保持材６の凹形状部分に嵌入し、前記保持材６の前記基部６ａを前記弾性部材１０の前記挟み部１０ａに差し込み、挟着する。
【００４３】
このように、前記気密材１７の硬度が低く、軟らかい材質の時は、前記保持材６を介して前記気密材１７を前記弾性部材１０に挟着すると良い。
【００４４】
一方、前記気密材１７の硬度が高く、硬い材質の場合を図５に示す。保持材を介して前記弾性部材１０に挟着する場合との相違点は、前記保持材６の前記基部６ａの代わりに、図５に示す、前記気密材１７の基部１７ａを前記弾性部材１０の挟み部１０ａに差し込み、挟着する点である。
【００４５】
前記気密材１７が硬い材質であれば、前記気密材１７の前記基部１７ａを前記弾性部材１０の挟み部１０ａに差し込む作業も、比較的容易に行うことが可能である。
【００４６】
このように、気密材１７は保持材６の基部６ａあるいは気密材１７の基部１７ａを、弾性部材１０の挟み部１０ａに差し込んで挟着するだけで、ねじおよび工具を用いる場合のような面倒で煩わしい作業を要することなく、また狭い作業スペース内であっても容易に能率よく取り付けることができる。したがって、特に高層の建屋の各階の三方枠３とドアパネル８の隙間に気密材１７を取り付けるような場合に、より効率が向上する。
【００４７】
一方、気密材１７を取り外すときには、単に気密材１７あるいは気密材１７が嵌入された保持材６を弾性部材１０から抜き取ればよく、ねじおよび工具を用いる場合のような面倒で煩わしい作業を要することがなく、容易に能率よく取り外すことができる。したがって、気密材１７の交換が必要なときにその作業を効率よく行うことができる。また、保持材６を使用する場合は、気密材１７のみを交換すれば良く、保持材は再利用することが可能であり、保持材を介さない場合に比べて、初期コストの増加のみで、ランニングコストは差異がない。
【００４８】
保持材６を介する場合と介さない場合の双方が対応可能であるので、環境などによって、気密材１７の材質を硬度の低いものから高いものまで自由に選定可能で、設計の自由度が広がる。
【００４９】
尚、図３に示すように、前記弾性部材１０は、ドアパネル８の高さ方向とほぼ同一の長さに必ずしもする必要はなく、気密材１７あるいは保持材６の強度に応じて、前記気密材１７あるいは保持材６が変形しない程度に、部分的に配置しても良い。
【００５０】
また、このような気密材１７の取り付け構造は、側枠４とドアパネル８の隙間だけでなく、ドアパネル同士あるいはドアパネル８と上枠５あるいはドアパネル８と敷居９との隙間にも使用することが可能であることは当然である。
【実施例２】
【００５１】
実施例２を図２、図６および図７を用いて、実施例１に、前記気密材１７の出代調整機能を追加した実施例２を説明する。
【００５２】
実施例２の説明は実施例１と同様な点については省略し、主に相違点について説明する。
【００５３】
図２は、実施例１乃至実施例３に係るエレベータドアの遮煙装置が取り付けられた、図１中のドアパネル８の裏面図である。図面右側が戸袋側を表す。戸袋側とはドアパネルが開く方向である。前記ドアパネル８の戸袋側には、気密材を取り付けるための弾性部材１０がリベット１１などの締結材あるいは接着材等で、ドアパネル上部から下部に渡って取り付けられている。
【００５４】
図６および図７には図２におけるＡ−Ａ線に沿う部分の断面構造を示してあり、出入口２に設けられたドアパネル８はその閉鎖時に三方枠３の背面と対向し、側枠４の後部側の折返し板４ａとドアパネル８の表面との間に隙間Ｇが生じている。
【００５５】
気密材１７は前記弾性部材１０にはさみ込まれて、弾性的に取り付けられている。この気密材１７はドアパネル８の高さとほぼ同じ長さを有し、この気密材１７が側枠４の裏面折返し板４ｂに当接することにより前記隙間Ｇが密閉され、この密閉によりエレベータホール１側とドアパネル８の背面側の昇降路との間の空気流通経路が遮断されている。なお、ドアパネル８と三方枠３の上枠５の隙間およびドアパネル８の戸当たり部分の隙間は、ドアパネル８あるいは上枠５に取り付けられた気密材（図示せず）により密閉されている。
【００５６】
図６において、保持材６の基部６ａには、Ｖ溝６ｂが所望の位置に、前記保持材６の長手方向の全長に渡って、あるいは一部に形成されている。
【００５７】
一方、弾性部材１０の挟み部１０ａの先端は前記保持材６側に折れ曲がっている。
【００５８】
前記弾性部材１０の折れ曲がった挟み部１０ａの先端が前記保持材６の前記Ｖ溝６ｂに嵌り込み、前記気密材１７を所望の出代とすることが可能である。
【００５９】
また、副次的な効果として、前記保持材６の前記Ｖ溝６ｂが前記弾性部材１０の挟み部１０ａの先端に引っ掛かり、前記保持材６が脱落しにくくなる。
【００６０】
同様に、図７において、気密材１７の基部１７ａには、Ｖ溝１７ｂが所望の位置に、前記気密材１７の長手方向の全長に渡って、あるいは一部に形成されている。
【００６１】
一方、弾性部材１０の挟み部１０ａの先端は前記気密材１７側に折れ曲がっている。
【００６２】
前記弾性部材１０の折れ曲がった挟み部１０ａの先端が前記気密材１７の前記Ｖ溝１７ｂに嵌り込み、前記気密材１７を所望の出代とすることが可能である。
【００６３】
また、副次的な効果として、前記気密材１７の前記Ｖ溝１７ｂが前記弾性部材１０の挟み部１０ａの先端に引っ掛かり、前記気密材１７が脱落しにくくなる。
【００６４】
このように、気密材１７は保持材６の基部６ａあるいは気密材１７の基部１７ａを、弾性部材１０の挟み部１０ａに差し込んで挟着するだけで、ねじおよび工具を用いる場合のような面倒で煩わしい作業を要することなく、また狭い作業スペース内であっても用意に能率よく取り付けることができる。したがって、特に高層の建屋の各階の三方枠３とドアパネル８の隙間に気密材１７を取り付けるような場合に、より効率が向上する。このように実施例１の効果に加え、前記気密材１７の出代の調整をすることなしに、最適の出代で気密材１７を設置することができ、より作業効率が向上する。
【００６５】
実施例２において、前記弾性部材１０の挟み部１０ａの先端に代わり、図４または図５の挟み部１０ａのくの字形状に折れ曲がった部分が、前記保持材６の前記Ｖ溝６ｂあるいは前記気密材１７の前記Ｖ溝１７ｂに嵌りこんでも同様の効果を得ることができる。
【実施例３】
【００６６】
実施例３を図２、図８乃至図１１を用いて、実施例１に、前記気密材１７の出代調整機能を追加した実施例２とは別の実施例３を説明する。
【００６７】
実施例３の説明は実施例１と同様な点については省略し、主に相違点について説明する。
【００６８】
図２は、実施例１乃至実施例３に係るエレベータドアの遮煙装置が取り付けられた、図１中のドアパネル８の裏面図である。図面右側が戸袋側を表す。戸袋側とはドアパネルが開く方向である。前記ドアパネル８の戸袋側には、気密材を取り付けるための弾性部材１０がリベット１１などの締結材あるいは接着材等で、ドアパネル上部から下部に渡って取り付けられている。
【００６９】
図８および図１０には図２におけるＡ−Ａ線に沿う部分の断面構造を示してあり、出入口２に設けられたドアパネル８はその閉鎖時に三方枠３の背面と対向し、側枠４の後部側の折返し板４ａとドアパネル８の表面との間に隙間Ｇが生じている。
【００７０】
気密材１７は前記弾性部材１０にはさみ込まれて、弾性的に取り付けられている。この気密材１７はドアパネル８の高さとほぼ同じ長さを有し、この気密材１７が側枠４の裏面折返し板４ｂに当接することにより前記隙間Ｇが密閉され、この密閉によりエレベータホール１側とドアパネル８の背面側の昇降路との間の空気流通経路が遮断されている。なお、ドアパネル８と三方枠３の上枠５の隙間およびドアパネル８の戸当たり部分の隙間は、ドアパネル８あるいは上枠５に取り付けられた気密材（図示せず）により密閉されている。
【００７１】
図８において、保持材６の基部６ａには、貫通穴または凹部６ｃが所望の位置に、前記保持材６の少なくとも一ヶ所に形成されている。
【００７２】
一方、弾性部材１０の前記保持材６と当接する側にはエンボス加工等によって、凸部１３が形成されている。
【００７３】
前記弾性部材１０の凸部１３が前記保持材６の前記貫通穴または凹部６ｃに嵌り込み、前記気密材１７を所望の出代とすることが可能である。
【００７４】
また、副次的な効果として、前記弾性部材１０の凸部１３が前記保持材６の前記貫通穴または凹部６ｃに引っ掛かり、前記保持材６が脱落しにくくなる。
【００７５】
図９は実施例３の内、前記保持材６を介して前記気密材１７を取り付けた場合の、前記ドアパネル８の上端部分の斜視図である。
【００７６】
同様に、図１０において、気密材１７の基部１７ａには、貫通穴または凹部１７ｃが所望の位置に、前記気密材１７の少なくとも一ヶ所に形成されている。
【００７７】
一方、弾性部材１０の前記気密材１７と当接する側にはエンボス加工等によって、凸部１３が形成されている。
【００７８】
前記弾性部材１０の前記凸部１３が前記気密材１７の前記貫通穴または凹部１７ｃに嵌り込み、前記気密材１７を所望の出代とすることが可能である。
【００７９】
また、副次的な効果として、前記弾性部材１０の凸部１３が前記気密材１７の前記貫通穴または凹部１７ｃに引っ掛かり、前記気密材１７が脱落しにくくなる
【００８０】
このように、気密材１７は保持材６の基部６ａあるいは気密材１７の基部１７ａを、弾性部材１０の挟み部１０ａに差し込んで挟着するだけで、ねじおよび工具を用いる場合のような面倒で煩わしい作業を要することなく、また狭い作業スペース内であっても用意に能率よく取り付けることができる。したがって、特に高層の建屋の各階の三方枠３とドアパネル８の隙間に気密材１７を取り付けるような場合に、より効率が向上する。このように実施例１の効果に加え、前記気密材１７の出代の調整をすることなしに、最適の出代で気密材１７を設置することができ、より作業効率が向上する
【００８１】
図１１は実施例３の内、前記保持材６を介さず、前記気密材１７を取り付けた場合の、前記ドアパネル８の上端部分の斜視図である。
【実施例４】
【００８２】
実施例４は実施例１乃至実施例３の弾性部材１０に押さえ込み機構を追加した例である。実施例４を図１５（Ａ）および（Ｂ）を用いて説明する。
【００８３】
図１５（Ａ）および（Ｂ）は、実施例４に係るエレベータドアの断面構造であり、図２におけるＡ−Ａ線に沿う部分の断面構造に相当する図である。
【００８４】
前記弾性部材１０は略Ｌ字状の断面を有し、一辺は前記ドアパネル８の裏面、折返し部分にリベット１１あるいは接着剤等で固定されており、他辺は前記ドアパネル８の戸袋側端部と所望の隙間をあけて取り付けられている。
【００８５】
アングル２７の一辺は前記弾性部材１０の外側に、該弾性部材１０を固定している前記リベット１１で共締め、あるいは接着剤等で固定されており、他辺先端の外側にはヒンジ２８の一辺が接着剤等で固定されている。
【００８６】
前記ヒンジ２８は、例えば、平蝶番である。
【００８７】
前記ヒンジ２８の他辺には、Ｌ字形状をした前記つまみ２９の辺ａが接着剤等で固定され、前記つまみ２９の辺ｂが図１５（Ａ）に示すように、戸袋側かつ塔内側に立ち上がるように配置する。
【００８８】
図１５（Ａ）に示した気密材１７は保持材６に嵌入され、前記保持材６が前記弾性部材１０と前記ドアパネル８の隙間に差し込まれている。
【００８９】
図１５（Ｂ）に示すように、二点鎖線によってしめされた前記つまみ２９を、前記ヒンジ２８を介して、反時計回りに回動させることによって、前記つまみ２９の一端が前記弾性部材１０を押さえ込み、前記弾性部材１０を前記保持材６に圧接させ、前記気密材１７を嵌入された前記保持材６を、前記ドアパネル８に固定する。
【００９０】
前記つまみ２９によって、前記弾性部材１０を前記保持材６側に押さえ込むことにより、確実に前記保持材６を固定することができる。
【００９１】
また、図示しないが、前記ヒンジ２８をばね蝶番にするなどして、常に前記つまみ２９に対して反時計回りに回動付勢しても良い。ばね蝶番によって、前記つまみ２９に前記弾性部材１０を押さえ込む方向の力を与え、衝撃などによって、前記つまみ２９が時計回りに回動し、前記保持材６が脱落することを防ぐことが可能である。ばね蝶番は、平蝶番にばねを組み込み、平蝶番が閉じる方向、あるいは開く方向に付勢した周知の技術である。
【００９２】
逆に、前記気密材１７を嵌入した前記保持材６を外す場合、まず前記つまみ２９を時計回りに回動し、前記押さえ込む力を取り除いた後、前記保持材６を抜き取る。
【００９３】
図１５は前記気密材１７を前記保持材６に嵌入させた場合を記載したが、前記弾性部材１０は保持材を介さず、直接、前記弾性部材１０と前記ドアパネル８の隙間に差し込んで固定しても良い。
【００９４】
尚、図３に示すように、前記弾性部材１０、前記アングル２７、前記ヒンジ２８および前記つまみ２９は、ドアパネル８の高さ方向とほぼ同一の長さに必ずしもする必要はなく、気密材１７あるいは保持材６の強度に応じて、前記気密材１７あるいは保持材６が変形しない程度に、部分的に配置しても良い。
【００９５】
また、このような気密材１７の取り付け構造は、側枠４とドアパネル８の隙間だけでなく、ドアパネル同士あるいはドアパネル８と上枠５あるいはドアパネル８と敷居９との隙間にも使用することが可能であることは当然である。
【実施例５】
【００９６】
実施例５は実施例１乃至実施例３の弾性部材１０に実施例４とは異なる押さえ込み機構を追加した例である。実施例５を図１６（Ａ）および（Ｂ）を用いて説明する。
【００９７】
図１６（Ａ）および（Ｂ）は、実施例５に係るエレベータドアの断面構造であり、図２におけるＡ−Ａ線に沿う部分の断面構造に相当する図である。
【００９８】
前記弾性部材１０は略Ｌ字状の断面を有し、一辺は前記ドアパネル８の裏面、折返し部分にリベット１１あるいは接着剤等で固定されており、他辺は前記ドアパネル８の戸袋側端部と所望の隙間をあけて取り付けられている。
【００９９】
アングル２７の一辺は前記弾性部材１０の外側に、該弾性部材１０を固定している前記リベット１１で共締め、あるいは接着剤等で固定されており、他辺先端の内側にはヒンジ２８の一辺が接着剤等で固定されている。
【０１００】
前記ヒンジ２８は、例えば、平蝶番である。
【０１０１】
前記ヒンジ２８の他辺には、Ｌ字形状をした前記つまみ２９の辺ａが接着剤等で固定され、前記つまみ２９の辺ｂが図１６（Ａ）に示すように、戸袋側かつ乗場側に立ち上がるように配置する。
【０１０２】
図１６（Ａ）に示した気密材１７は保持材６に嵌入され、前記保持材６が前記弾性部材１０と前記ドアパネル８の隙間に差し込まれている。
【０１０３】
図１６（Ｂ）に示すように、二点鎖線によってしめされた前記つまみ２９を、前記ヒンジ２８を介して、時計回りに回動させることによって、前記つまみ２９の一端が前記弾性部材１０を押さえ込み、前記弾性部材１０を前記保持材６に圧接させ、前記気密材１７を嵌入された前記保持材６を、前記ドアパネル８に固定する。
【０１０４】
前記つまみ２９によって、前記弾性部材１０を前記保持材６側に押さえ込むことにより、確実に前記保持材６を固定することができる。
【０１０５】
また、図示しないが、前記ヒンジ２８をばね蝶番にするなどして、常に前記つまみ２９に対して時計回りに回動付勢しても良い。ばね蝶番によって、前記つまみ２９に前記弾性部材１０を押さえ込む方向の力を与え、衝撃などによって、前記つまみ２９が反時計回りに回動し、前記保持材６が脱落することを防ぐことが可能である。ばね蝶番は、平蝶番にばねを組み込み、平蝶番が閉じる方向、あるいは開く方向に付勢した周知の技術である。
【０１０６】
逆に、前記気密材１７を嵌入した前記保持材６を外す場合、まず前記つまみ２９を反時計周りに回動し、前記押さえ込む力を取り除いた後、前記保持材６を抜き取る。
【０１０７】
図１６は前記気密材１７を前記保持材６に嵌入させた場合を記載したが、前記弾性部材１０は保持材を介さず、直接、前記弾性部材１０と前記ドアパネル８の隙間に差し込んで固定しても良い。
【０１０８】
尚、図３に示すように、前記弾性部材１０、前記アングル２７、前記ヒンジ２８および前記つまみ２９は、ドアパネル８の高さ方向とほぼ同一の長さに必ずしもする必要はなく、気密材１７あるいは保持材６の強度に応じて、前記気密材１７あるいは保持材６が変形しない程度に、部分的に配置しても良い。
【０１０９】
また、このような気密材１７の取り付け構造は、側枠４とドアパネル８の隙間だけでなく、ドアパネル同士あるいはドアパネル８と上枠５あるいはドアパネル８と敷居９との隙間にも使用することが可能であることは当然である。
【０１１０】
各実施例は両開き扉について説明したが、片開き扉についても同様に適用可能である。
【０１１１】
各実施例は保持材または気密材の脱落防止として、少なくとも１本のねじで併用固定しても良い。
【０１１２】
本発明はエレベータ以外の遮煙性能を必要とする扉装置に適用することができる。
【０１１３】
各実施例の保持材は樹脂の射出成形品や樹脂の押し出し材であっても良い。
【符号の説明】
【０１１４】
１          エレベータホール
２          出入口
３          三方枠
４          側枠
４ａ        折返し板
４ｂ        折返し板
５          上枠
６          保持材
６ａ        基部
６ｂ        Ｖ溝
６ｃ        貫通穴または凹部
７          取付けねじ
８          ドアパネル
９          敷居
１０        弾性部材
１０ａ      挟み部
１１        リベット
１２ｂ      折返し板
１３        凸部
１７        気密材
１７ａ      基部
１７ｂ      Ｖ溝
１７ｃ      貫通穴または凹部
１８        締着具
２２        基部
２３        密閉部
２５        挟み部
２６        押さえ部
２７        アングル
２８        ヒンジ
２９        つまみ
ａ、ｂ      辺
Ｇ          隙間
【図１】
0005708112.tif 000002
【図２】
0005708112.tif 000003
【図３】
0005708112.tif 000004
【図４】
0005708112.tif 000005
【図５】
0005708112.tif 000006
【図６】
0005708112.tif 000007
【図７】
0005708112.tif 000008
【図８】
0005708112.tif 000009
【図９】
0005708112.tif 000010
【図１０】
0005708112.tif 000011
【図１１】
0005708112.tif 000012
【図１２】
0005708112.tif 000013
【図１３】
0005708112.tif 000014
【図１４】
0005708112.tif 000015
【図１５】
0005708112.tif 000016
【図１６】
0005708112.tif 000017